(57)【特許請求の範囲】
【請求項１】
回動軸に固着した開閉レバーを正逆方向へ回動させることにより開閉部を開閉させる工事用開閉器に設ける工事用開閉器のロック装置であって、
工事用開閉器の近傍に配置する筐体の外部に一端を中心として回動自在な拘束レバーを設け、工事用開閉器を閉にする際に拘束レバーが引っ張られるように開閉レバーの先端と拘束レバーの先端とを索条部材を介して連結し、変電所と電源車との電源の位相が同じになったときにのみ開閉部を閉にしうるように拘束レバーの回動を拘束する拘束手段を筐体の内部に設け、
前記拘束手段は、付勢手段により前記筐体から突出して拘束レバーが閉側へ回動するのを拘束するストッパと、拘束レバーが前記付勢手段の付勢力に抗して前記ストッパを押し込んで開側へ移動しうるようにストッパの先端に形成したテーパ部と、前記の位相が同じになったときに付勢手段の付勢力に抗して前記ストッパを前記筐体の中へ向かって吸引するソレノイドとで構成したことを特徴とする工事用開閉器のロック装置。
【発明の詳細な説明】
【０００１】
【発明の属する技術分野】
本発明は配電線工事の際に用いられる工事用開閉器のロック装置に関する。
【０００２】
【従来の技術】
配電線工事を行う際は、負荷に対して電源車から電力を供給し続けて無停電状態で工事を行う無停電電源システムが採用される。
【０００３】
従来例１に係る無停電電源システムの構成を図５に示す。図５中のＡで示す区間を工事する場合は、変電所側の変圧器１の近くの遮断器２と負荷３との間に位置する電線４にケーブル５，６を介して電源車７を接続し、遮断器８を閉にすることで電線４だけでなくケーブル５，６からも変圧器１の電流が負荷３へ流れるようにする。次に変電所側の電源と発電機９の位相を合わせて遮断器１０を閉にし、変圧器１と発電機９との両方から負荷３へ電流が流れるようにする。位相を合わせるのは、回路中にある電気機器に重大な損傷が及ぶのを防止するためである。
【０００４】
次に、遮断器８を開にして発電機９のみから負荷３へ電流が流れるようにし、その後に遮断器２を開にして縁切り部１１を切断し、区間Ａの工事を行う。
【０００５】
工事が終了したら、ケーブル１２，１３を介して開の状態の工事用開閉器１４を電線４に接続し、遮断器２を閉にする。そして、発電機９の位相と変電所側の電源との位相とが合ったときに工事用開閉器１４を閉にし、変圧器１と発電機９との両方から負荷３に電流が流れるようにしたあとで、遮断器１０を開にする。次に、縁切り部１１を接続し、その後に工事用開閉器１４を開にする。以上により、変電所側からの電流が再び電線４のみを流れることになる。
【０００６】
しかし、工事用開閉器１４はロック機構を有しないため、誤って閉にするおそれがある。また、両電源の位相を確認するための計測器と工事用開閉器１４とが離れているため、声をかけ合って工事用開閉器１４を投入することになり危険が伴う。
【０００７】
このため、図６の従来例２に示すように電源車７との間の無線信号を得て工事用開閉器１４を投入させる制御トランスロック機構付きの同期用の開閉器１４と無線ユニットを内蔵した制御ユニット１５とを設けたものが提案されている。
【０００８】
【発明が解決しようとする課題】
ところが、制御ユニットを別個に設けるだけでなく、工事用開閉器も従来と異なるものを新たに準備しなければならず、コスト高になる。
【０００９】
そこで本発明は、斯かる課題を解決した工事用開閉器のロック装置を提供することを目的とする。
【００１０】
【課題を解決するための手段】
斯かる目的を達成するための請求項１に係る工事用開閉器のロック装置の構成は、回動軸に固着した開閉レバーを正逆方向へ回動させることにより開閉部を開閉させる工事用開閉器に設ける工事用開閉器のロック装置であって、工事用開閉器の近傍に配置する筐体の外部に一端を中心として回動自在な拘束レバーを設け、工事用開閉器を閉にする際に拘束レバーが引っ張られるように開閉レバーの先端と拘束レバーの先端とを索条部材を介して連結し、変電所と電源車との電源の位相が同じになったときにのみ開閉部を閉にしうるように拘束レバーの回動を拘束する拘束手段を筐体の内部に設け、前記拘束手段は、付勢手段により前記筐体から突出して拘束レバーが閉側へ回動するのを拘束するストッパと、拘束レバーが前記付勢手段の付勢力に抗して前記ストッパを押し込んで開側へ移動しうるようにストッパの先端に形成したテーパ部と、前記の位相が同じになったときに付勢手段の付勢力に抗して前記ストッパを前記筐体の中へ向かって吸引するソレノイドとで構成したことを特徴とする。
【００１１】
【発明の実施の形態】
以下、本発明を図面に示す実施例に基づいて詳細に説明する。
【００１２】
（ａ）実施例１
本発明による工事用開閉器のロック装置の実施例１の外観を、図１に示す。実施例１は従来の工事用開閉器にロック装置を付加したものである。図のように、工事用開閉器１４には回動軸１８が設けられ、回動軸１８には開閉レバー１７ａ，１７ｂの基端部が固着されている。開閉レバー１７ａを下へ引くと図示しない開閉部が閉になる一方、開閉レバー１７ｂを下へ引くと開になる。この工事用開閉器１４は従来のものと同じである。
【００１３】
この工事用開閉器１４の近傍にロック装置１９が配置されている。工事用開閉器１４は電柱に取り付けられるため、ロック装置１９も電柱に取り付けられる。ロック装置１９を構成する筐体２０の背面には電柱との接触面積を増やすために切欠部２１が形成され、切欠部２１には緩衝材２２が貼着されている。そして、電柱に筐体２０をしばり付けるためにベルト２３が設けられている。
【００１４】
筐体２０の前面には固定軸２４を中心として回動自在に拘束レバー２５が設けられ、拘束レバー２５の先端と開閉レバー１７ｂの先端とが索状部材としての細いワイヤ２６を介して連結されている。
【００１５】
工事用開閉器１４を閉から開にすることはいつでもできるが、開から閉にするには一定の要件下でないとできないように拘束レバー２５を拘束する拘束手段２７が設けられている。以下、拘束手段２７について説明する。図２に示すように筐体２０内に固定軸２８を介して回動自在に有底円筒形のフレーム２９が取り付けられ、フレーム２９内には円筒形のソレノイド３０が収容されている。ソレノイド３０の軸心位置には可動鉄心３１が設けられ、可動鉄心３１にはストッパ３２とバネ受け３３とが取り付けられるとともにバネ受け３３とソレノイド３０との間には付勢手段としてのバネ３４が設けられている。ストッパ３２の先端の上部にはテーパ部としての円弧部３２ａが形成されている。可動鉄心３１には手動でロック解除を行うためのハンドル３５が取り付けられている。筐体２０の前面であって拘束レバー２５の少し上方には開口部３６が形成され、バネ３４の放勢力によって二点鎖線の位置までストッパ３２を突出させると拘束レバー２５の上動が拘束され、ソレノイド３０を励磁したりハンドル３５を右方へ引くことで拘束レバー２５の拘束が解除される。ここで、ソレノイド３０は、変電所からの電流と電源車からの電流との位相が同期したときにのみ通電されるように設定されている。
【００１６】
このほか、フレーム２９を固定軸２８を中心として時計方向へ付勢する復帰バネ３７が設けられる一方、フレーム２９の時計方向への回動を止めるストッパ３８がフレーム２０の内側に固着されている。筐体２０の上面には、ハンドル３５を操作するための開口部が形成されるとともに当該開口部には蓋３９が取り付けられている。
【００１７】
次に、斯かる工事用開閉器のロック装置の作用を説明する。従来の無停電電源システムである図５における工事用開閉器１４の下方に、電柱に取り付けてロック装置１９を設け、ワイヤ２６により開閉レバー１７ｂと拘束レバー２５とを連結する。
【００１８】
工事用開閉器１４を閉の状態から開の状態にするには、拘束レバー２５を下方へ下げる。このとき、ストッパ３２はバネ３４の作用により二点鎖線で示す位置にあるため、拘束レバー２５がストッパ３２に当接する。少し力を加えて拘束レバー２５を下げると、フレーム２９が復帰バネ３７の付勢力に抗して固定軸２８を中心として反時計方向へ回動し、かつ拘束レバー２５が円弧部３２ａに係合してストッパ３２が右方へ押されるために拘束レバー２５はストッパ３２を越えることができる。このあと、復帰バネ３７の付勢力でフレーム２９は復帰し、ストッパ３８に衝突して止まる。
【００１９】
拘束レバー２５をストッパ３２よりも下げると、開閉レバー１７ａを下方へ引いても拘束レバー２５がストッパ３２に当接して上動しないので、工事用開閉器１４を閉にすることはできない。
【００２０】
図５の場合において電線４からの通電を復帰させるために工事用開閉器１４を閉にする際には、図１における工事用開閉器１４の開閉レバー１７ａに下方への力を加えた状態を維持する。このとき、拘束レバー２５の上動がストッパ３２によって拘束されているが、変電所からの電流と電源車からの電流との位相が同期したときにソレノイド３０に通電されるため、可動鉄心３１がソレノイド３０に吸引されて図２中の右方へ移動し、拘束レバー２５がストッパ３２から外れて上動し、工事用開閉器１４が閉になる。つまり開閉レバー１７ａのみを下方へ引き続ければ、位相が同期した際に自動的に工事用開閉器１４が閉じることになる。
【００２１】
（ｂ）実施例２
次に、本発明による工事用開閉器のロック装置の実施例２を説明する。
【００２２】
実施例１は工事用開閉器とは別個にロック装置を設けたものであるが、この実施例は工事用開閉器の内部にロック装置を収容したものである。
【００２３】
図３に示すように保護枠４１の内部に工事用開閉器が組み込まれている。１７ａ，１７ｂは開閉レバーである。開閉レバー１７ｂの上動を拘束するために、枠４１ａに拘束手段４２が取り付けられている。
【００２４】
以下に拘束手段４２の構造を説明する。実施例１と同じ構造のフレーム２９にステー４３及びボルト４４を介してベース４５が固着され、ベース４５がピン４６を介して回動自在に枠４１ａに取り付けられている。フレーム２９には、実施例１で説明したストッパ３２とバネ受け３３とが設けられている。フレーム２９と枠４１ａとの間には、フレーム２９を水平状態に保持するための図示しない復帰バネが設けられている。
【００２５】
その他の構成と作用とは実施例１と同じなので、説明を省略する。
【００２６】
【発明の効果】
以上の説明からわかるように、請求項１に係る工事用開閉器のロック装置によれば変電所と電源車との位相が同期したときにのみ工事用開閉器を閉にすることができるので、従来の工事用開閉器にロック装置のみを取り付ければよく、低コストで同期投入の目的が達成できる。
【図面の簡単な説明】
【図１】本発明による工事用開閉器のロック装置の実施例１を示す構成図。
【図２】図１におけるＡ−Ａ矢視図。
【図３】本発明による工事用開閉器のロック装置の実施例２に係り、（ａ）は正面図、（ｂ）は右側面図。
【図４】（ａ）は図３（ａ）におけるＢ部の拡大図、（ｂ）は図３（ｂ）におけるＣ部の拡大図。
【図５】無停電電源システムの従来例１を示す構成図。
【図６】無停電電源システムの従来例２を示す構成図。
【符号の説明】
１４…工事用開閉器
１７ａ，１７ｂ…開閉レバー
１８…回動軸
１９…ロック装置
２０…筐体
２４…固定軸
２５…拘束レバー
２６…ワイヤ
２７，４２…拘束手段
３０…ソレノイド
３２…ストッパ
３２ａ…円弧部
３４…バネ
【図１】
0003769893.tif 000002
【図２】
0003769893.tif 000003
【図３】
0003769893.tif 000004
【図４】
0003769893.tif 000005
【図５】
0003769893.tif 000006
【図６】
0003769893.tif 000007